【手続補正書】
【提出日】平成24年6月15日(2012.6.15)
【手続補正１】
【補正対象書類名】明細書
【補正対象項目名】００３０
【補正方法】変更
【補正の内容】
【００３０】
この発明に係る機器は、
放電電極と、
前記放電電極を保持する電極保持部と、
前記放電電極あるいは前記電極保持部に水を供給する水供給手段と、を有し、
前記放電電極に電圧を印加することで前記放電電極からミストを発生させる霧化装置と、
空気を周囲が囲まれたダクトなどの霧化装置入口風路を介して前記霧化装置に送風し、前記霧化装置で生成されたミストを周囲が囲まれたダクトなどの霧化装置出口風路を介して前記霧化装置が配置された部位とは別の室内にミストを噴霧させる循環ファンと、
を備え、
前記霧化装置は、前記循環ファンのオンと連動して動作するか、あるいは前記循環ファンのオンと連動して所定時間だけ動作するようにしたことを特徴とする。
【手続補正２】
【補正対象書類名】明細書
【補正対象項目名】００３１
【補正方法】変更
【補正の内容】
【００３１】
本発明によれば、霧化装置や、霧化装置で生成されたミストを室内に噴霧するためのミスト噴霧部（ミスト噴霧口）の配置位置の自由度が増し、ミスト噴霧させたい場所からミスト噴霧が行えるので、設計の自由度が向上する。
【手続補正３】
【補正対象書類名】特許請求の範囲
【補正対象項目名】全文
【補正方法】変更
【補正の内容】
【特許請求の範囲】
【請求項１】
放電電極と、
前記放電電極を保持する電極保持部と、
前記放電電極あるいは前記電極保持部に水を供給する水供給手段と、を有し、
前記放電電極に電圧を印加することで前記放電電極からミストを発生させる霧化装置と、
空気を周囲が囲まれたダクトなどの霧化装置入口風路を介して前記霧化装置に送風し、前記霧化装置で生成されたミストを周囲が囲まれたダクトなどの霧化装置出口風路を介して前記霧化装置が配置された部位とは別の室内にミストを噴霧させる循環ファンと、
を備え、
前記霧化装置は、前記循環ファンのオンと連動して動作するか、あるいは前記循環ファンのオンと連動して所定時間だけ動作するようにしたことを特徴とする機器。
【請求項２】
放電電極と、
前記放電電極を保持する電極保持部と、
前記放電電極あるいは前記電極保持部に水を供給する水供給手段と、を有し、
前記放電電極に電圧を印加することで前記放電電極からミストを発生させる霧化装置と、
空気を周囲が囲まれたダクトなどの霧化装置入口風路を介して前記霧化装置に送風し、前記霧化装置で生成されたミストを周囲が囲まれたダクトなどの霧化装置出口風路を介して前記霧化装置が配置された部位とは別の室内にミストを噴霧させる循環ファンと、
を備え、
前記霧化装置は、前記循環ファンのオフと連動して停止するようにしたことを特徴とする機器。
【請求項３】
放電電極と、
前記放電電極を保持する電極保持部と、
前記放電電極あるいは前記電極保持部に水を供給する水供給手段と、を有し、
前記放電電極に電圧を印加することで前記放電電極からミストを発生させる霧化装置と、
空気を周囲が囲まれたダクトなどの霧化装置入口風路を介して前記霧化装置に送風し、前記霧化装置で生成されたミストを周囲が囲まれたダクトなどの霧化装置出口風路を介して前記霧化装置が配置された部位とは別の室内にミストを噴霧させる循環ファンと、
を備え、
前記霧化装置は、前記室に設けられた開閉扉の開あるいは閉と連動して動作するか、あるいは前記室に設けられた開閉扉の開あるいは閉と連動して所定時間だけ動作するようにしたことを特徴とする機器。
【請求項４】
前記霧化装置は、前記水供給手段より前記放電電極あるいは前記電極保持部に供給される水を排出できる水排出口を備えたことを特徴とする請求項１乃至請求項３のいずれかに記載の機器。
【請求項５】
前記放電電極を前記電極保持部側に押圧する固定手段を備えたことを特徴とする請求項１乃至請求項４のいずれかに記載の機器。
【請求項６】
前記電極保持部が、水供給手段より供給される水を捕集できる容器状であることを特徴とする請求項１乃至請求項５のいずれかに記載の機器。
【請求項７】
前記水供給手段が貯水タンクであり、前記貯水タンクの水供給口より排出される水が前記放電電極あるいは前記電極保持部に落下することによって前記放電電極に水が供給されるようにしたことを特徴とする請求項１乃至請求項６のいずれかに記載の機器。
【請求項８】
前記放電電極あるいは前記電極保持部に前記水供給手段から空間を介して水が供給されるようにしたことを特徴とする請求項１乃至請求項７のいずれかに記載の機器。
【請求項９】
前記水供給手段と前記電極保持部の間の、あるいは、前記水供給手段と前記放電電極との間の水の供給経路の少なくとも一部を覆う覆い部を設けたことを特徴とする請求項１乃至請求項８のいずれかに記載の機器。
【請求項１０】
前記放電電極に電圧を印加するための通電部材を備え、前記固定手段は、前記通電部材を介して前記放電電極を前記電極保持部側に押圧するようにしたことを特徴とする請求項５に記載の機器。
【請求項１１】
前記固定手段は、前記水供給手段の位置きめを行うことを特徴とする請求項５又は請求項１０に記載の機器。
【請求項１２】
前記霧化装置は、前記室に設けられた開閉扉の開あるいは閉と連動して停止することを特徴とする請求項１又は請求項３乃至請求項１１のいずれかに記載の機器。
【請求項１３】
前記霧化装置が動作中でないときに、前記霧化装置の動作結果や動作予定を表示するようにしたことを特徴とする請求項１乃至請求項１２のいずれかに記載の機器。
【請求項１４】
前面の意匠面に操作パネルを備え、前記操作パネルに設けられたスイッチを操作することで、前記霧化装置の動作時間を設定できるようにしたことを特徴とする請求項１乃至請求項１３のいずれかに記載の機器。
【請求項１５】
前面の意匠面に操作パネルを備え、前記操作パネルに前記霧化装置を作動させるためのミスト噴霧スイッチを設け、前記ミスト噴霧スイッチを操作した場合に所定時間だけあるいは設定した時間だけ前記霧化装置が動作するようにしたことを特徴とする請求項１乃至請求項１３のいずれかに記載の機器。
【請求項１６】
前記水排出口が開口や切欠きであることを特徴とする請求項４に記載の機器。
【請求項１７】
前記循環ファンにて送風されたミストは、前記室内に設けられたミスト噴霧用カバーより前記室内に噴霧されることを特徴とする請求項１乃至請求項１６のいずれかに記載の機器。
【請求項１８】
前記放電電極に電圧を印加する高圧電源部を備え、前記放電電極、前記電極保持部、前記高圧電源部を一体にキット部品化したことを特徴とする請求項１乃至請求項１７のいずれかに記載の機器。
【請求項１９】
前面の意匠面に操作パネルを備え、前記操作パネルに前記霧化装置の動作状況や前記霧化装置の動作強さ又は使用電力量又は電気代又はＣＯ２排出量を表示するようにしたことを特徴とする請求項１乃至請求項１３のいずれかに記載の機器。
【請求項２０】
前面や上面に設けられたパネルの表示部又はリモコンの表示部に瞬時の使用電力量又は累積の使用電力量を図形で表示するようにしたことを特徴とする請求項１乃至請求項１９のいずれかに記載の機器。
【請求項２１】
前記霧化装置の配置位置を全体図などの表示図面に表示するようにしたことを特徴とする請求項１乃至請求項１７のいずれか又は請求項１９又は請求項２０に記載の機器。
【請求項２２】
前記放電電極に電圧を印加する高圧電源部を備え、前記高圧電源部の配置位置も表示するようにしたことを特徴とする請求項２１に記載の機器。
【請求項２３】
標準使用時間を定め、実試用時間が前記標準使用時間の所定の割合を越えた場合に、点検又は交換又は買い替えを促すメッセージを表示するようにしたことを特徴とする請求項１乃至請求項２２のいずれかに記載の機器。